(57)【特許請求の範囲】
【請求項１】
主制御手段と、信号線によってこの主制御手段に接続されるセンサとを備え、
このセンサは、検出素子と、自らのＩＤコード及び自らが取り付けられる位置に関する位置データを保有する記憶手段と、前記信号線を介して前記主制御手段とデータの授受を行う送受信手段と、前記検出素子が検出したデータを取り込んで前記記憶手段に書き込み、前記送受信手段により前記記憶手段内のデータを前記主制御手段に送信するセンサ側制御手段とを有すると共に、
前記主制御手段は、前記センサとデータの授受を行う送受信手段と、表示器と、前記センサが前記信号線に接続された場合に、前記位置データのアップロードを受けて当該センサが取り付けられた位置の表示を前記表示器にて行う手段を備えることを特徴とする機器の制御装置。
【請求項２】
主制御手段と、信号線によってこの主制御手段に接続され、機器の運転を制御するスイッチング素子とを備え、
このスイッチング素子は、スイッチング手段と、自らのＩＤコード及び自らが取り付けられる位置に関する位置データを保有する記憶手段と、前記信号線を介して前記主制御手段とデータの授受を行う送受信手段と、この送受信手段からのデータに基づき前記スイッチング手段を制御するスイッチング素子側制御手段とを有すると共に、
前記主制御手段は、前記スイッチング素子とデータの授受を行う送受信手段と、表示器と、前記スイッチング素子が前記信号線に接続された場合に、前記位置データのアップロードを受けて当該スイッチング素子が取り付けられた位置の表示を前記表示器にて行う手段を備えることを特徴とする機器の制御装置。
【請求項３】
主制御手段は、表示器上にてセンサ又はスイッチング素子の表示位置を変更する手段を備え、変更された位置データは前記センサ又はスイッチング素子のセンサ側制御手段又はスイッチング素子側制御手段に送信すると共に、このセンサ側制御手段又はスイッチング素子側制御手段は、当該位置データの送信を受けて記憶手段に保有する位置データを書き換えることを特徴とする請求項１又は請求項２の機器の制御装置。
【請求項４】
主制御手段は、表示器上にて選択されたセンサ又はスイッチング素子に対応する所定の表示を表示器にて表示する手段を備えることを特徴とする請求項１、請求項２又は請求項３の機器の制御装置。
【発明の詳細な説明】
【０００１】
【発明の属する技術分野】
本発明は、例えば業務用・家庭用冷蔵庫、低温ショーケース、プレハブ冷蔵庫、空気調和機、自動販売機、温度計などの機器の制御装置に関するものである。
【０００２】
【従来の技術】
従来より例えば業務用の冷蔵庫は、ホテルやレストランの厨房に設置されている。そして、冷却装置を構成するコンプレッサ、凝縮器、冷却器などを内蔵し、或いは、コンプレッサ、凝縮器は別置きとし、このコンプレッサから吐出された冷媒を凝縮器にて凝縮し、減圧装置にて減圧した後、冷却器に供給して冷却効果を発揮させ、この冷却器にて冷却された冷気を庫内ファンにて庫内に循環して所定の低温度に冷却している。
【０００３】
また、冷却運転によって冷却器に成長した着霜はデフロスタ（霜取りヒータ）によって加熱融解すると共に、冷却作用で付着する結露は防露ヒータによって加熱除去する。一方、コンプレッサや凝縮器周辺には凝縮器用ファンが設置され、この凝縮器用ファンにて凝縮器やコンプレッサを空冷する構成とされている。
【０００４】
このような種々の運転制御を行うために、冷蔵庫にはマイクロコンピュータにて構成されたコントローラが搭載される。更に、庫内や冷却器、凝縮器の温度を検出する各種センサが取り付けられると共に、コンプレッサ、デフロスタや防露ヒータ、庫内ファンなどの取付部品の運転を制御するスイッチも搭載され、前記各センサからのデータを取り込んでコントローラが各スイッチにより取付部品の運転を制御するものであった。
【０００５】
【発明が解決しようとする課題】
係る冷蔵庫の運転制御を行う場合、特に業務用の機器の場合には故障によって収納している商品や材料に損害が生じることを未然に防ぐ必要があるため、使用者若しくは管理者が各センサの検出する温度や各機器の運転状態を監視する必要がある。
【０００６】
また、係る業務用冷蔵庫が設置される厨房内の温度なども、食品衛生上監視する必要がある。近年ではこのような箇所或いは機器の温度を監視する装置も開発されているが、特に複数のセンサやスイッチング素子が使用される場合には、何れのセンサ或いはスイッチング素子に関する情報か否か管理者に分かりにくくなる問題があった。
【０００７】
本発明は、係る従来の技術的要望を満たすために成されたものであり、センサやスイッチング素子などを極めて分かり易く監視することができる機器の制御装置を提供するものである。
【０００８】
【課題を解決するための手段】
請求項１の発明の制御装置は、主制御手段と、信号線によってこの主制御手段に接続されるセンサとを備え、このセンサは、検出素子と、自らのＩＤ及び自らが取り付けられる位置に関する位置データを保有する記憶手段と、信号線を介して主制御手段とデータの授受を行う送受信手段と、検出素子が検出したデータを取り込んで記憶手段に書き込み、送受信手段により記憶手段内のデータを主制御手段に送信するセンサ側制御手段とを有すると共に、主制御手段は、センサとデータの授受を行う送受信手段と、表示器と、センサが信号線に接続された場合に、位置データのアップロードを受けて当該センサが取り付けられた位置の表示を表示器にて行う手段を備えることを特徴とする。
【０００９】
請求項２の発明の制御装置は、主制御手段と、信号線によってこの主制御手段に接続され、機器の運転を制御するスイッチング素子とを備え、このスイッチング素子は、スイッチング手段と、自らのＩＤコード及び自らが取り付けられる位置に関する位置データを保有する記憶手段と、信号線を介して主制御手段とデータの授受を行う送受信手段と、この送受信手段からのデータに基づきスイッチング手段を制御するスイッチング素子側制御手段とを有すると共に、主制御手段は、スイッチング素子とデータの授受を行う送受信手段と、表示器と、スイッチング素子が信号線に接続された場合に、位置データのアップロードを受けて当該スイッチング素子が取り付けられた位置の表示を表示器にて行う手段を備えることを特徴とする。
【００１０】
請求項１の発明によれば、センサのセンサ側制御手段は、検出素子が検出したデータを記憶手段に書き込み、送受信手段により信号線を介して主制御手段にデータを送信するので、主制御手段は支障無くデータを取り込むことができる。この場合、センサは記憶手段に自らのＩＤコードを保有しているので、信号線にセンサを接続することにより主制御手段はセンサを識別できるようになり、センサの配線は完了する。
【００１１】
また、請求項２の発明によれば、スイッチング素子のスイッチング素子側制御手段は、信号線を介して送受信手段により受信した主制御手段からのデータに基づきスイッチング手段を制御するので、主制御手段は支障無く機器の制御を実行することができる。この場合も、スイッチング素子は記憶手段に自らのＩＤコードを保有しているので、信号線にスイッチング素子を接続することにより主制御手段はスイッチング素子を識別できるようになり、スイッチング素子の配線は完了する。
【００１２】
これらにより、本発明によれば所謂プラグインによってセンサやスイッチング素子を配線することが可能となり、著しい配線の簡素化を図ることが可能となる。また、センサやスイッチング素子の数などに係わらず主制御手段には共通のソフトウエアを使用できるので、共通化によるコストの著しい削減を図ることも可能となる。
【００１３】
また、主制御手段は、センサやスイッチング素子とデータの授受を行う送受信手段と、表示器と、センサ又はスイッチング素子が信号線に接続された場合に、位置データのアップロードを受けて当該センサ又はスイッチング素子が取り付けられた位置の表示を表示器にて行う手段を備えているので、信号線にセンサ又はスイッチング素子を接続することにより、当該センサやスイッチング素子の取付位置が自動的に主制御手段の表示器に表示されるようになる。
【００１４】
これにより、使用者又は管理者はセンサやスイッチング素子を監視する際に、その取付位置によってセンサやスイッチング素子を選択して、確実且つ容易に監視することができるようになり、極めて利便性に富んだものとなる。
【００１５】
特に、センサ又はスイッチング素子は、自らが取り付けられる位置に関する位置データを記憶手段に保有すると共に、主制御手段は位置データのアップロードを受けて当該センサ又はスイッチング素子が取り付けられた位置の表示を表示器にて行う手段を備えているので、位置データはセンサ或いはスイッチング素子が保有しており、それらを主制御手段側に保有させておく必要が無くなる。従って、主制御手段に保有させておくデータ量の削減を図り、位置表示に関しても完全なるプラグインを達成できるものである。
【００１６】
請求項３の発明の制御装置は、上記各発明において主制御手段は、表示器上にてセンサ又はスイッチング素子の表示位置を変更する手段を備え、変更された位置データはセンサ又はスイッチング素子のセンサ側制御手段又はスイッチング素子側制御手段に送信すると共に、このセンサ側制御手段又はスイッチング素子側制御手段は、当該位置データの送信を受けて記憶手段に保有する位置データを書き換えることを特徴とする。
【００１７】
請求項３の発明によれば、上記各発明に加えて主制御手段は、表示器上にてセンサ又はスイッチング素子の表示位置を変更する手段を備え、変更された位置データをセンサ又はスイッチング素子のセンサ側制御手段又はスイッチング素子側制御手段に送信し、このセンサ側制御手段又はスイッチング素子側制御手段は、当該位置データの送信を受けて記憶手段に保有する位置データを書き換えるようにしているので、実際の取付位置の変更に伴ってセンサやスイッチング素子の表示器上での位置を変更することにより、センサ又はスイッチング素子に保有されている位置データも書き換えられるようになる。
【００１８】
従って、実際に取り付けられる位置が変更された場合などに、センサやスイッチング素子が保有する位置データを簡単に変更することができるようになるものである。
【００１９】
請求項４の発明の制御装置は、上記各発明において主制御手段は、表示器上にて選択されたセンサ又はスイッチング素子に対応する所定の表示を表示器にて表示する手段を備えることを特徴とする。
【００２０】
請求項４の発明によれば、上記各発明に加えて主制御手段は、表示器上にて選択されたセンサ又はスイッチング素子に対応する所定の表示を表示器にて表示する手段を備えるので、検出データや運転状態を確認したいセンサ又はスイッチング素子を表示器にて選択し、表示させて確実且つ容易に監視することができるようになるものである。
【００２１】
【発明の実施の形態】
以下、図面に基づき本発明の実施形態を詳述する。図１は本発明を説明するための厨房Ｋの平面図、図２は本発明を適用する機器の実施例としての業務用の冷蔵庫１の概略断面図、図３は冷蔵庫１の電気系の配線図、図４は厨房Ｋ内の機器の電気系の配線図をそれぞれ示している。
【００２２】
図１において、厨房Ｋはホテルやレストランの厨房であり、図中左上隅に冷蔵庫１が設置されている。また、壁面Ｋ１には温度計ＴＨ１が取り付けられ、壁面Ｋ２には温度計ＴＨ２が取り付けられている。更に、壁面Ｋ３には温度計ＴＨ３が取り付けられたものとする。
【００２３】
図２において、前記冷蔵庫１は前面に開口する断熱箱体２により本体５を構成されており、この断熱箱体２内に貯蔵室３が構成されている。この貯蔵室３の前面開口は扉４により開閉自在に閉塞されている。また、貯蔵室３内には冷却装置の冷凍サイクルを構成する冷却器６とモータにて駆動される庫内ファン７が設置されている。
【００２４】
また、冷却器６には霜取り用のデフロスタ（電気ヒータ）３０（図３）が取り付けられており、更に、断熱箱体２の開口縁には結露防止用の防露ヒータ８が配設されると共に、扉４の前面にはコントロールボックス９の操作パネル１１が取り付けられている。
【００２５】
一方、断熱箱体２の下側には機械室１２が形成されており、この機械室１２内には前記冷却器６と共に冷却装置の冷凍サイクルを構成するコンプレッサ１３、凝縮器１４、凝縮器用ファン１６などが設置されている。
【００２６】
前記コンプレッサ１３が運転されると、コンプレッサ１３から吐出された高温高圧の冷媒は凝縮器１４にて放熱して凝縮し、図示しない減圧装置にて減圧された後、冷却器６に供給される。冷却器６ではこの冷媒が蒸発することにより冷却作用を発揮し、その後低温のガス冷媒はコンプレッサ１３に再び帰還する。庫内ファン７が運転されると、冷却器６で冷却された冷気は貯蔵室３内に循環され、これによって、貯蔵室３内は冷却される。
【００２７】
また、凝縮器用ファン１６が運転されると、外気を凝縮器１４、コンプレッサ１３に通風するので、これらは空冷される。更に、デフロスタ３０には所定時間毎に、或いは、所定時刻に通電される。デフロスタ３０に通電が成されると発熱して冷却器６を加熱することにより、霜取りが行われる。更にまた、防露ヒータ８に通電されると断熱箱体２の開口縁が加熱され、結露が防止されるものである。
【００２８】
次に、図３において２１は冷蔵庫１の本体５内に配線されたAC電源線であり、２２はデータの授受を行うための信号線である。AC電源線２１と信号線２２には前記コントロールボックス９が接続されると共に、コンプレッサ１３の駆動基板２３、前記各ファン７、１６の電源基板２４及び前記デフロスタ３０、防露ヒータ８の電源基板２６はAC電源線２１に接続される。
【００２９】
また、信号線２２には記憶装置としてのメモリ２５と、貯蔵室３内の温度を検出するセンサとしてのチップ状の庫内温度センサ２７と、冷却器６の温度を検出するセンサとしてのチップ状の霜取りセンサ１０と、凝縮器１４の温度を検出するセンサとしてのチップ状の高温センサ２０と、前記駆動基板２３、電源基板２４、２６にそれぞれ取り付けられたチップ状のスイッチング素子２８・・がそれぞれコネクタを介して接続される。尚、電源基板２４、２６にはスイッチング素子２８を一つ示しているが、実際には各ファン７、１６、デフロスタ３０、防露ヒータ８に対してそれぞれ設けられる。
【００３０】
尚、実施例ではこれら駆動基板２３、電源基板２４、２６がコンプレッサ１３、各ファン７、１６及びデフロスタ３０、防露ヒータ８と別体で構成されたものを示しているが、これら駆動基板２３、電源基板２４、２６を、それぞれのスイッチング素子２８と共に、コンプレッサ１３、各ファン７、１６及びデフロスタ３０、防露ヒータ８にそれぞれ内蔵させた構成としても良い。
【００３１】
係る構成によれば、コンプレッサ１３やファン７、１６或いはデフロスタ３０、防露ヒータ８に内蔵された各スイッチング素子２８と信号線２２のコネクタに接続するだけで配線が完了するかたちとなるため、組立・配線作業性が一段と向上する。
【００３２】
前記コントロールボックス９の構成は図４に示される。コントロールボックス９にはコントローラ（基板）３６が設けられている。このコントローラ３６は、ＣＰＵ（マイクロコンピュータ）３１、記憶手段としてのメモリ３２、Ｉ／Ｏインターフェース３３及び送受信手段としてのバスＩ／Ｏインターフェース３４などから構成されている。また、コントロールボックス９には液晶表示パネルから構成された表示器３７と、入力手段（キーボード、マウスなど）としてのスイッチ３８と、切換手段としての切換器３９などが設けられており、前記表示器３７とスイッチ３８はＩ／Ｏインターフェース３３に接続されて前記操作パネル１１に配設されている。
【００３３】
また、前記バスＩ／Ｏインターフェース３４は前記切換器３９を介して信号線２２に接続され、信号線２２を介して前記温度センサ２７やスイッチング素子２８・・・とデータの授受を行う。切換器３９には信号線４２を介して主制御手段としてのパソコンＰが接続されている。パソコンＰは表示器としてのディスプレイＤと、送受信手段Ｍ、記憶手段としてハードディスクなどを備えると共に、切換器３９は常にはバスＩ／Ｏインターフェース３４と信号線２２を接続しているが、パソコンＰからの要求によりバスＩ／Ｏインターフェース３４（即ちコントロールボックス９）を例えば信号線２２から切り離し、信号線４２を介してパソコンＰを信号線２２に接続する。
【００３４】
尚、コントローラ３６には前記庫内温度センサ２７、霜取りセンサ１０、高温センサ２０やスイッチング素子２８、メモリ２５やパソコンＰとデータ通信を行うための所定の通信プロトコルや後述する各センサ２７、１０、２０やスイッチング素子２８をサーチして識別するためのソフトウエア、表示器３７への表示画像データなどが設定されている。
【００３５】
一方、前記温度計ＴＨ１、ＴＨ２、ＴＨ３はそれぞれ温度センサ８１、８２、８３を備えており、各温度センサ８１、８２、８３は信号線４２にてパソコンＰの送受信手段Ｍに接続されている。
【００３６】
このパソコンＰのハードディスクには、冷蔵庫１の前記各センサ２７、１０、２０やスイッチング素子２８、メモリ２５やコントローラ３６、及び、温度センサ８１、８２、８３とデータ通信を行うための所定の通信プロトコルや後述する各センサ２７、１０、２０、８１、８２、８３やスイッチング素子２８をサーチして識別するためのソフトウエア、前記厨房Ｋのレイアウト画像データなどが書き込まれているものとする。
【００３７】
次ぎに、前記庫内温度センサ２７、霜取りセンサ１０、高温センサ２０、各温度センサ８１、８２、８３の構成を図５に示す。尚、各センサ２７、１０、２０、８１、８２、８３は同一の構成であるので、以下は庫内温度センサ２７について述べる。庫内温度センサ２７は、センサ側制御手段としてのＣＰＵ４３と、記憶手段としてのメモリ４４と、送受信手段としてのＩ／Ｏインターフェース４６と、Ａ／Ｄ変換器４７と、このＡ／Ｄ変換器４７に接続された検出素子としてのセンサ部４８と、蓄電素子としてのコンデンサ４９と、整流素子としてのダイオード５１などから構成されている。
【００３８】
この場合、コンデンサ４９はダイオード５１の出力側に接続され、このダイオード５１とコンデンサ４９との接続点に各素子が接続されている。信号線２２、４２には例えば＋５Ｖの電位（高電位）が印加されており、データはこの高電位から例えば０Ｖの低電位に下がるパルスにて構成される。
【００３９】
そして、庫内温度センサ２７が信号線２２（温度センサ８１〜８３の場合には信号線４２）に接続されると、データを構成する高電位と低電位のパルス信号が高電位となっている間はそのまま各素子に給電が成され、コンデンサ４９にも充電される。そして、低電位となっている間はコンデンサ４９から放電され、各素子の電源が賄われる構成とされている。
【００４０】
尚、庫内温度センサ２７にはＶｃｃ（ＤＣ＋５Ｖ）電源端子４５も設けられ、ダイオード５１とコンデンサ４９との接続点に接続されており、庫内温度センサ２７は、このＶｃｃ電源端子４５を電源線に接続すれば、各素子は電源線からの給電によっても動作することができるように構成されている。即ち、その場合にはコンデンサ４９に充填すること無く、各素子は動作するようになるので、検査時などの庫内温度センサ２７を迅速に動作させたい場合に利便性が向上する。
【００４１】
また、ＣＰＵ４３はセンサ部４８が検出する温度データをＡ／Ｄ変換器４７を介して取り込み、一旦メモり４４に書き込む。そして、Ｉ／Ｏインターフェース４６により、信号線２２、４２を介してコントローラ３６やパソコンＰからポーリングされると、メモリ４４に書き込まれた温度データをＩ／Ｏインターフェース４６により信号線２２、４２を介してコントローラ３６やパソコンＰに送信する。
【００４２】
ここで、メモリ４４には庫内温度センサ２７自体のＩＤコードやセンサである旨の識別データ、低温・高温警報温度などの設定値データ及びコントローラ３６やパソコンＰとの間のデータ通信を行うためのプロトコルなどが記憶されている。また、庫内温度センサ２７において故障が生じている場合には当該故障データもメモリ４４に書き込まれ、コントローラ３６やパソコンＰに送信される。
【００４３】
更に、メモリ４４には前記コントローラ３６の表示器３７やパソコンＰ（温度センサ８１〜８３の場合にはパソコンＰのみ）へのセンサ画像データ（表示データ）及びこの画像データをコントローラ３６の表示器３７やパソコンＰのディスプレイＤに表示させるためのソフトウエアが格納されている。
【００４４】
更にまた、メモリ４４には当該センサが取り付けられた位置に関する位置データが格納されている。この位置データはパソコンＰのディスプレイＤ上の厨房レイアウト画面に当該センサが取り付けられた位置をグラフィック表示するためのＸ−Ｙ方向座標データとして構成されているものである。
【００４５】
一方、前記スイッチング素子２８の構成を図６に示す。スイッチング素子２８は、スイッチング素子側制御手段としてのＣＰＵ５８と、記憶手段としてのメモリ５９と、送受信手段としてのＩ／Ｏインターフェース６１と、ドライバとしてのＩ／Ｏインターフェース６２と、このＩ／Ｏインターフェース６２に接続されたスイッチング手段としてのトランジスタ６３と、蓄電素子としてのコンデンサ６４と、整流素子としてのダイオード６６などから構成されている。
【００４６】
この場合、コンデンサ６４はダイオード６６の出力側に接続され、このダイオード６６とコンデンサ６４との接続点に各素子が接続されている。スイッチング素子２８が信号線２２に接続されると、前述の如くデータを構成する高電位と低電位のパルス信号が高電位となっている間はそのまま各素子に給電が成され、コンデンサ６４にも充電される。そして、低電位となっている間はコンデンサ６４から放電され、各素子の電源が賄われる構成とされている。
【００４７】
尚、スイッチング素子２８にも図６に破線で示す如く、ダイオード６６とコンデンサ６４との接続点に接続されたＶｃｃ（ＤＣ＋５Ｖ）電源端子５５を設け、このＶｃｃ電源端子５５を電源線に接続すれば、スイッチング素子２８の各素子は電源線からの給電によっても動作することができるようになる。即ち、その場合にはコンデンサ６４に充填すること無く、各素子は動作するようになるので、検査時などのスイッチング素子２８を迅速に動作させたい場合に利便性が向上する。
【００４８】
また、ＣＰＵ５８はＩ／Ｏインターフェース６１により、信号線２２を介してコントローラ３６やパソコンＰからＯＮ／ＯＦＦデータが送信されると、このＯＮ／ＯＦＦデータに基づき、Ｉ／Ｏインターフェース６２によりトランジスタ６３をＯＮ／ＯＦＦする。
【００４９】
ここで、メモリ５９にはスイッチング素子２８自体のＩＤコードやスイッチング素子である旨の識別データ及びコントローラ３６やパソコンＰとの間のデータ通信を行うためのプロトコルなどが記憶されている。また、スイッチング素子２８において故障が生じている場合には当該データもメモリ５９に書き込まれ、コントローラ３６やパソコンＰに送信される。
【００５０】
更に、メモリ５９には前記コントローラ３６の表示器３７やパソコンＰへのスイッチング素子画像データ（表示データ）及びこの画像データをコントローラ３６の表示器３７やパソコンＰのディスプレイＤに表示させるためのソフトウエアが格納されている。
【００５１】
更にまた、メモリ５９には当該スイッチング素子２８が取り付けられた位置に関する位置データが格納されている。この位置データはパソコンＰのディスプレイＤ上の厨房レイアウト画面に当該スイッチング素子が取り付けられた位置をグラフィック表示するためのＸ−Ｙ方向座標データとして構成されているものである。
【００５２】
係るスイッチング素子２８は各駆動基板２３、電源基板２４、２６上において図７の如く配線されてスイッチングユニット６８を構成する。即ち、６９はフォトダイオード６９Ａとフォトトライアック６９Ｂから成るフォトカプラであり、７１は抵抗、７２は整流素子としてのダイオード、７３は蓄電素子としてのコンデンサ７４である。
【００５３】
この場合、コンデンサ７４はダイオード７２の出力側に接続され、このダイオード７２とコンデンサ７４との接続点とスイッチング素子２８のトランジスタ６３のコレクタ端子（図６にＳ２で示す）間に抵抗７１とフォトダイオード６９Ａが直列に接続される。また、スイッチング素子２８の端子Ｓ１（図６）はダイオード７２の手前に接続される。そして、フォトトライアック６９ＢはAC電源線２１とコンプレッサ１３、ファン７、１５、デフロスタ３０、防露ヒータ８間にそれぞれ介設される。
【００５４】
ダイオード７２が信号線２２に接続されると、データを構成する高電位と低電位のパルス信号が高電位となっている間はそのまま抵抗７１を介してフォトダイオード６９Ａに給電が成され、コンデンサ７４にも充電される。そして、低電位となっている間はコンデンサ７４から放電されて、フォトダイオード６９Ａの電源を賄う構成とされている。
【００５５】
尚、同様にダイオード７２とコンデンサ７４の接続点にＶｃｃ電源端子６０を接続し、このＶｃｃ電源端子６０を電源線に接続すれば、フォトダイオード６９Ａは電源線からの給電によっても動作することができるようになる。即ち、その場合にはコンデンサ７４に充填すること無く、各素子は動作するようになるので、検査時などに迅速に動作させたい場合に利便性が向上する。
【００５６】
以上の構成で動作を説明する。先ず、冷蔵庫１の生産時の動作を説明する。冷蔵庫１の各センサ２７、１０、２０やスイッチング素子２８・・が信号線２２に接続されたものとすると、コントローラ３６（のＣＰＵ３１）は先ず信号線２２への各素子（センサ２７、１０、２０、スイッチング素子２８・・）の接続状況をサーチする。
【００５７】
この場合、コントローラ３６は全てのセンサ２７、１０、２０、スイッチング素子２８・・にＩＤ要求を行い、これに応えて全てのセンサ２７、１０、２０、スイッチング素子２８・・は自らのＩＤコードなどをコントローラ３６に返答する。コントローラ３６は返答されたＩＤコードなどに基づき、信号線２２に庫内温度センサ２７、霜取りセンサ１０及び高温センサ２０の各センサが接続され、コンプレッサ１３用のスイッチング素子２８、デフロスタ３０用のスイッチング素子２８、庫内ファン７用のスイッチング素子２８、防露ヒータ８用のスイッチング素子２８（実際には凝縮器用ファンもある）の各スイッチング素子が接続されていることを認識する。
【００５８】
コントローラ３６は認識された温度センサ２７、１０、２０とスイッチング素子２８・・の接続状況はメモリ３２に保有すると共に、以後はこのＩＤコードを用いて各素子に対してデータを送信することになる。
【００５９】
そして、係る冷蔵庫１は図１に示す厨房Ｋの所定の位置に据え付けられ、温度計ＴＨ１〜ＴＨ３も図１に示す位置に取り付けられ、信号線４２にてパソコンＰに接続される。
【００６０】
その後、冷蔵庫１のコントローラ３６のＣＰＵ３１は各センサ２７、１０、２０に所定の周期でポーリングを行う。このポーリングは前述のＩＤコードに基づいて行われる。センサ２７、１０、２０のＣＰＵ４３はこのポーリングに応えて温度データをコントローラ３６に送信する。コントローラ３６のＣＰＵ３１は受け取った温度データを一旦メモり３２に書き込み、このうちの庫内温度センサ２７からの温度データと予め設定されたパラメータにおける設定温度とを比較してＯＮ／ＯＦＦデータを、駆動基板２３のスイッチング素子２８のＩＤコードと共に信号線２２に送信する。
【００６１】
駆動基板２３のスイッチング素子２８のＣＰＵ５８は自らのＩＤコードのＯＮ／ＯＦＦデータを受信すると、それに基づいて前述の如くトランジスタ６３をＯＮ／ＯＦＦする。このトランジスタ６３のＯＮ／ＯＦＦにより、フォトダイオード６９ＡがＯＮ（発光）／ＯＦＦ（消灯）し、それによって、フォトトライアック６９ＢがＯＮ／ＯＦＦされ、これによって、コンプレッサ１３が起動／停止される。
【００６２】
また、コントローラ３６のＣＰＵ３１は、ＯＮ／ＯＦＦデータを電源基板２６のスイッチング素子２８のＩＤコードと共に信号線２２に送信し、所定の周期で、或いは、所定の時刻にデフロスタ３０に通電して冷却器６の霜取りを行う。そして、前述の如く受け取った霜取りセンサ１０からの温度データに基づき、冷却器６の霜取り制御（所定温度で終了）を実行する。
【００６３】
尚、各ファン７、１５及び防露ヒータ８は連続通電であるので、その旨のＯＮ／ＯＦＦデータが、各電源基板２４、２６のスイッチング素子２８のＩＤコードに基づいて送信される。そして、各スイッチング素子２８は当該ＯＮ／ＯＦＦデータに基づいて各ファン７、１５若しくは防露ヒータ８を運転若しくは通電するものである。
【００６４】
次に、パソコンＰにおける監視動作について説明する。冷蔵庫１の切換器３９及び各温度計ＴＨ１、ＴＨ２、ＴＨ３の温度センサ８１、８２、８３が信号線４２に接続されると、パソコンＰは先ず信号線４２への各素子（冷蔵庫１や温度計のセンサ２７、１０、２０、８１、８２、８３、スイッチング素子２８・・）の接続状況をサーチする。
【００６５】
この場合、パソコンＰはコントローラ３６と全ての温度センサ８１、８２、８３にＩＤ要求を行い、これに応えてコントローラ３６は冷蔵庫１の各センサやスイッチング素子のＩＤコードなどをパソコンＰに返答する。また、温度センサ８１、８２、８３は自らのＩＤコードなどをパソコンＰに返答する。パソコンＰは返答されたＩＤコードなどに基づき、信号線４２に冷蔵庫１のコントローラ３６などが接続され、温度センサ８１、８２、８３が接続されていることを認識する。
【００６６】
パソコンＰは認識された冷蔵庫１の各素子、及び、温度センサ８１、８２、８３の接続状況をハードディスクに保有すると共に、以後はこのＩＤコードを用いて各素子に対してデータを送信することになる。
【００６７】
また、冷蔵庫１の各センサ２７、１０、２０からはそれぞれのメモリ４４内の前記センサ画像データや、それを表示させるためのソフトウエア、及び、前記位置データが信号線２２、４２を介してパソコンＰにアップロードされる。また、各スイッチング素子２８・・からもそれぞれのメモリ５９内のスイッチング素子画像データ及びそれを表示させるためのソフトウエアが、及び、前記位置データが信号線２２、４２を介してパソコンＰにアップロードされる。尚、以上はコントローラ３６についても同様に実行される。
【００６８】
更に、各温度計ＴＨ１〜ＴＨ３の温度センサ８１、８２、８３からもそれぞれのメモリ４４内のセンサ画像データや、それを表示させるためのソフトウエア、及び、前記位置データが信号線４２を介してパソコンＰにアップロードされる。
【００６９】
そして、パソコンＰは前記厨房Ｋのレイアウト画像データを用いて、図８に示す如く厨房レイアウトＲを示す厨房レイアウト画面をディスプレイＤに表示する。また、上記認識結果に基づいてアップロードされた各センサやスイッチング素子の位置データに基づき、温度計ＴＨ１〜ＴＨ３の温度センサ８１、８２、８３を上記厨房レイアウトＲ内に表示する。
【００７０】
これは実際に温度計ＴＨ１〜ＴＨ３が取り付けられた厨房Ｋ内の位置に合致している。この場合、各センサのメモリ４４には当該センサ（温度計）が実際に取り付けられる位置を想定して作成された位置データが初期値として書き込まれている。
【００７１】
また、冷蔵庫１のセンサ２７、１０、２０やスイッチング素子２８に関しては各位置データから総合し、先ず冷蔵庫１として厨房レイアウトＲ内に表示する。
【００７２】
そして、例えばマウスによって温度計ＴＨ１に対応する温度センサ８１をダブルクリックすると、パソコンＰはディスプレイＤに図９に示す如きウィンドウＷ１を表示する。この場合パソコンＰは、温度センサ８１からの温度データにより寒暖計のグラフィックＧ１と数値Ｎ１によって厨房Ｋの温度計ＴＨ１が取り付けられた位置の温度を表示する。
【００７３】
また、矢印グラフィックＧ２の角度によって庫内温度が現在上昇中であるか、変化がないか（図示）、或いは、下降しているかを表示する。更に数値Ｎ２、Ｎ３で前記高温警報温度と低温警報温度を表示し、トレンド枠Ｇ３をクリックすれば温度履歴をグラフ表示する（別ウィンドウ）。尚、図９は温度センサ８１に対応するウィンドウＷ１を示しているが、他の温度センサ８２、８３も同様であるので説明を省略する。
【００７４】
更に、マウスによって冷蔵庫１をダブルクリックすると図８に示す如き冷蔵庫１の庫内を模したウィンドウＷ０をディスプレイＤに表示する。このウィンドウＷ０には前記位置データに基づき、庫内温度センサ２７や霜取センサ１０、高温センサ２０が実際の冷蔵庫１内の位置に対応して示されると共に、スイッチング素子２８も実際の位置に対応して示される（実施例では１個のみ示す）。
【００７５】
そして、マウスによって例えば庫内温度センサ２７をダブルクリックすれば、パソコンＰはディスプレイＤに前記図９と同様のウィンドウを表示して同様のグラフィック表示を行う。また、スイッチング素子２８をダブルクリックすれば、図１０に示す如く例えばコンプレッサ１３のスイッチング素子２８に対応するウィンドウＷ４を表示する。パソコンＰは、前記ＯＮ／ＯＦＦデータによりスイッチのグラフィックＧ４によってスイッチング素子２８の開閉（コンプレッサ１３のＯＦＦ／ＯＮ）状態を表示する。また、ＯＰＥＮ／ＣＬＯＳＥ表示Ｇ５によって文字により状態を表示する。
【００７６】
次に、例えば温度計ＴＨ１の実際の取付位置を図１に破線で示す位置に変更した場合について説明する。この場合は、変更された厨房Ｋ内の位置を想定して、図８に示すパソコンＰの厨房レイアウト画面において温度センサ８１をドラッグし、図８に破線で示す位置に表示位置を変更する。
【００７７】
パソコンＰは変更されたＸ−Ｙ座標から位置データを生成し、これを信号線４２を介して温度計ＴＨ１の温度センサ８１にＩＤコードと共に送信する。温度センサ８１のＣＰＵ４３は自らのＩＤコードの位置データを受信すると、メモリ４４内の位置データを受信した位置データに書き換える。
【００７８】
尚、実施例では各センサのメモリに当該センサ（温度計）が実際に取り付けられる位置を想定して作成された位置データが初期値として書き込むようにしたが、それに限らず、ディスプレイＤ上の一定の位置（例えば右隅）を初期値として一律に書き込んで置き、前述の位置変更時と同様のドラッグ操作にて画面上の厨房レイアウトＲ内に移動させることにより、実際に取り付けられた位置に相当する座標に各センサの位置データが書き換えられるようにしても良い。
【００７９】
また、実施例では温度を検出するセンサを取り上げたが、センサ部として湿度或いは圧力などを検出する素子を用いることにより、湿度センサや圧力センサとしても本発明は有効である。
【００８０】
更に、実施例では業務用冷蔵庫や温度計にて本発明を説明したが、それに限らず、家庭用冷蔵庫や低温ショーケース、プレハブ冷蔵庫、自動販売機などの各種電気機器、或いは、自動車、家屋におけるホームオートメーション・警備システムなどにも本発明は有効である。
【００８１】
【発明の効果】
以上詳述した如く請求項１の発明によれば、センサのセンサ側制御手段は、検出素子が検出したデータを記憶手段に書き込み、送受信手段により信号線を介して主制御手段にデータを送信するので、主制御手段は支障無くデータを取り込むことができる。この場合、センサは記憶手段に自らのＩＤコードを保有しているので、信号線にセンサを接続することにより主制御手段はセンサを識別できるようになり、センサの配線は完了する。
【００８２】
また、請求項２の発明によれば、スイッチング素子のスイッチング素子側制御手段は、信号線を介して送受信手段により受信した主制御手段からのデータに基づきスイッチング手段を制御するので、主制御手段は支障無く機器の制御を実行することができる。この場合も、スイッチング素子は記憶手段に自らのＩＤコードを保有しているので、信号線にスイッチング素子を接続することにより主制御手段はスイッチング素子を識別できるようになり、スイッチング素子の配線は完了する。
【００８３】
これらにより、本発明によれば所謂プラグインによってセンサやスイッチング素子を配線することが可能となり、著しい配線の簡素化を図ることが可能となる。また、センサやスイッチング素子の数などに係わらず主制御手段には共通のソフトウエアを使用できるので、共通化によるコストの著しい削減を図ることも可能となる。
【００８４】
また、主制御手段は、センサやスイッチング素子とデータの授受を行う送受信手段と、表示器と、センサ又はスイッチング素子が信号線に接続された場合に、位置データのアップロードを受けて当該センサ又はスイッチング素子が取り付けられた位置の表示を表示器にて行う手段を備えているので、信号線にセンサ又はスイッチング素子を接続することにより、当該センサやスイッチング素子の取付位置が自動的に主制御手段の表示器に表示されるようになる。
【００８５】
これにより、使用者又は管理者はセンサやスイッチング素子を監視する際に、その取付位置によってセンサやスイッチング素子を選択して、確実且つ容易に監視することができるようになり、極めて利便性に富んだものとなる。
【００８６】
特に、センサ又はスイッチング素子は、自らが取り付けられる位置に関する位置データを記憶手段に保有すると共に、主制御手段は位置データのアップロードを受けて当該センサ又はスイッチング素子が取り付けられた位置の表示を表示器にて行う手段を備えているので、位置データはセンサ或いはスイッチング素子が保有しており、それらを主制御手段側に保有させておく必要が無くなる。従って、主制御手段に保有させておくデータ量の削減を図り、位置表示に関しても完全なるプラグインを達成できるものである。
【００８７】
請求項３の発明によれば、上記各発明に加えて主制御手段は、表示器上にてセンサ又はスイッチング素子の表示位置を変更する手段を備え、変更された位置データをセンサ又はスイッチング素子のセンサ側制御手段又はスイッチング素子側制御手段に送信し、このセンサ側制御手段又はスイッチング素子側制御手段は、当該位置データの送信を受けて記憶手段に保有する位置データを書き換えるようにしているので、実際の取付位置の変更に伴ってセンサやスイッチング素子の表示器上での位置を変更することにより、センサ又はスイッチング素子に保有されている位置データも書き換えられるようになる。
【００８８】
従って、実際に取り付けられる位置が変更された場合などに、センサやスイッチング素子が保有する位置データを簡単に変更することができるようになるものである。
【００８９】
請求項４の発明によれば、上記各発明に加えて主制御手段は、表示器上にて選択されたセンサ又はスイッチング素子に対応する所定の表示を表示器にて表示する手段を備えるので、検出データや運転状態を確認したいセンサ又はスイッチング素子を表示器にて選択し、表示させて確実且つ容易に監視することができるようになるものである。
【図面の簡単な説明】
【図１】  本発明を説明するための厨房の平面図である。
【図２】  本発明を適用する機器の実施例としての業務用の冷蔵庫の概略断面図である。
【図３】  図２の冷蔵庫の電気系の配線図である。
【図４】  図１の厨房内の機器の電気系の配線図である。
【図５】  温度センサの電気回路のブロック図である。
【図６】  スイッチング素子の電気回路のブロック図である。
【図７】  スイッチング素子を用いたスイッチングユニットの電気回路図である。
【図８】  パソコンのディスプレイの表示状態を示す図である。
【図９】  ディスプレイに表示された温度センサに対応するウィンドウを示す図である。
【図１０】  ディスプレイに表示されたコンプレッサのスイッチング素子に対応するウィンドウを示す図である。
【符号の説明】
１  冷蔵庫
６  冷却器
７  庫内ファン
８  防露ヒータ
９  コントロールボックス
１０  霜取りセンサ
１３  コンプレッサ
１４  凝縮器
１６  凝縮器用ファン
２０  高温センサ
２２、４２  信号線
２７  庫内温度センサ
２８  スイッチング素子
３０  デフロスタ
３１、４３、５８  ＣＰＵ
３２、４４、５９  メモリ
３７  表示器
３９  切換器
４６、６１  Ｉ／Ｏインターフェース
４８  センサ部
４９、６４  コンデンサ
５１、６６  ダイオード
６３  トランジスタ
６９  フォトカプラ
６９Ａ  フォトダイオード
６９Ｂ  フォトトライアック
８１〜８３  温度センサ
Ｋ  厨房
Ｐ  パソコン
ＴＨ１〜ＴＨ３  温度計
【図１】
0004278213.tif 000002
【図２】
0004278213.tif 000003
【図３】
0004278213.tif 000004
【図４】
0004278213.tif 000005
【図５】
0004278213.tif 000006
【図６】
0004278213.tif 000007
【図７】
0004278213.tif 000008
【図８】
0004278213.tif 000009
【図９】
0004278213.tif 000010
【図１０】
0004278213.tif 000011